(57)【要約】【課題】ブロック状の包装箱において、箱の上部側を左右に開くことで横方向に広がり、物を載せることができる部分が得られ、簡易なテーブルとしても利用できるようにして包装箱の有用性が高めた包装箱を提供する。【解決手段】箱胴部２における第一側壁板６、７それぞれの中段に、折り線２９を配し、箱天面部５での第二天面板１２、１３から箱胴部４の第二側壁板８、９を経て第二側壁板８、９の両辺に位置している折り線２９の端部それぞれに達する部分に、分断手段３０を配し、分断手段３０の位置に沿って第二天面板１２、１３と第二側壁板８、９とを分断可能に設け、第二天面板１２、１３の分断と第二側壁板８、９の分断とにより、箱本体２の外方に回動可能な対の割り体３２が形成されるようにした。【選択図】図３
2018193095.tif 000002
【特許請求の範囲】
【請求項１】
ブロック状の箱本体が、四角形の箱底面部と、この箱底面部から立ち上げられて四方に位置する壁板であって、相対する一組の第一側壁板と相対するもう一組の第二側壁板とからなる箱胴部と、前記第一側壁板それぞれに連接されて折り倒されている一組の第一天面板と前記第二側壁壁それぞれに連接されていて前記第一天面板それぞれの上に重なるように折り倒されている一組の第二天面板とで閉じられている四角形の箱天面部とを有し、
前記箱胴部における第一側壁板それぞれの中段に、この第一側壁板の幅方向に沿う折り線が位置し、
前記第二天面板から前記第二側壁板を経てこの第二側壁板の両辺に位置している前記折り線の端部それぞれに達する部分に、ミシン目からなる分断手段が配されて、この分断手段の位置に沿って前記第二天面板と第二側壁板とがそれぞれ分断可能に設けられており、
前記分断手段の位置に沿った第二天面板の分断と第二側壁板の分断とにより、前記第一側壁板の折り線の位置からそれぞれが箱本体の外方に向けて開くように回動可能な対の割り体が形成されて、この対の割り体の前記外方に向けた回動により、箱本体が前記割り体を互いに逆方向に開いている箱開き状態になる構成を備えることを特徴とする包装箱。
【請求項２】
上記第一天面板それぞれには手掛け板が切り起こされていて、一方の第一天面板の手掛け板と他方の第一天面板の手掛け板とを重ね合わせて箱天面部に手掛け部が設けられており、
一方の第一天面板における前記手掛け板の切り起こしにより形成された切り欠き状の係止部が、他方の第一天面板における前記手掛け板の基端に係脱可能に係止する請求項１に記載の包装箱。
【請求項３】
第一天面板それぞれの上に折り倒されている上記第二天面板は、一方の第一天面板に開口された係止孔に差し込み係止する係止片と、他方の第一天面板に開口された係止孔に差し込み係止する係止片とを備えている請求項１または２に記載の包装箱。
【請求項４】
第一天面板それぞれの上に折り倒されている上記第二天面板は、上記手掛け部の基端部を挟み込む溝部を有して、第一天面板における手掛け部の基端部の近傍となる部分に重なる保持片を備えている請求項１から３の何れか一項に記載の包装箱。
【請求項５】
上記分割手段は、第二天面板における保持片の上記溝部に連続している請求項４に記載の包装箱。
【請求項６】
上記箱本体は、対の割り体を互いに逆方向に開いている上記箱開き状態での前記割り体が箱本体の高さ方向上方に向けて回動するのを抑止する回動抑止機構を有している請求項１から５の何れか一項に記載の包装箱。
【発明の詳細な説明】
【技術分野】
【０００１】
本発明は、箱本体の上部側を横方向に開くことができ、開いた部分に収容物などを乗せ置くことができるようにした包装箱に関するものである。
【背景技術】
【０００２】
従来から競技スタジアムや野球場などでの観戦席には、座った人が使用できるテーブルなどの設備は無く、このためスタジアム内や球場内にある店舗で買い求めた軽食を観戦席で採ろうとする場合、食べ物を入れた器や飲料カップを自身の大腿部の上に載せたり空いている隣席に載せており、また観戦席下の床上に置いたりもしているのが現状である。
【０００３】
上述したように観戦席で軽食類を大腿部の上や膝の上に乗せ置いても当然のことながら不安定になり易いことから、特許文献１では、大腿部の上で食品などを安定的に配置させることを目的とする包装箱が提案されている。
【０００４】
この特許文献１の包装箱は椅子に座った人の大腿部の間に置くものとされており、蓋部を左右に開くことで広がりのある面を大腿部の上で形成できるようにした工夫が示されている。  
【先行技術文献】
【特許文献】
【０００５】
【特許文献１】特表２０１６−５２４５７３号公報
【発明の概要】
【発明が解決しようとする課題】
【０００６】
上記特許文献１に示されている包装箱は、蓋部を折り曲げ部分から左右に広げることで広がりのあるテーブル部分が形成できるので、スナックや軽食の食べ物が入った容器やドリンク品をこの包装箱に収容し、観戦席ではこの包装箱を大腿部の間に置いてから蓋部を開き、大腿部の上で広がった部分にスナックや軽食などの食べ物を置くようにする利用が考えられる。
【０００７】
一方、スナックや軽食などの食べ物に限られるものではないが、これらの品を顧客の注文に応じて箱の内部に入れて商品として販売する場合、扁平なスリーブから組み起こして箱底面を形成し、或いはスリーブの組み起こしで自動的に箱底面が形成させて、挿入口として開放されている箱天面部から物品を内部に入れる一般的な包装箱が用いられることも多い。そしてこの包装箱では、箱天面板の折り倒しなどで箱天面部を閉じており、箱の全体形状がブロック状となって取り扱い易い包装箱となるものである。
【０００８】
このように箱天面部から物品を入れてその箱天面部を閉じる一般的な包装箱が、その組み起こしが簡単であり、箱天面部を閉じた後もシンプルな形状を呈するものであることから、上述した施設での観戦席で食するスナックや軽食を入れた包装形態にして購入者が持ち運びする包装箱として利用できるようにすることが検討されている。
【０００９】
しかしながら、ブロック状の上記包装箱では特許文献１での包装箱のように左右に開く対の割り体が事前に形成されていないため、箱を膝上でテーブルのように広げることができず、単に箱からスナックや食品と取り出して箱外に置いて食しなければならない。
【００１０】
そこで本発明は上記事情に鑑み、ブロック状の包装箱において、箱の上部側を左右に開くことで横方向に広がり、物を載せることができる部分が得られることを課題とし、包装箱を簡易なテーブルとしても利用できるようにして包装箱の有用性が高めることを目的とするものである。
【課題を解決するための手段】
【００１１】
（請求項１の発明）
本発明は上記課題を考慮してなされたもので、ブロック状の箱本体が、四角形の箱底面部と、この箱底面部から立ち上げられて四方に位置する壁板であって、相対する一組の第一側壁板と相対するもう一組の第二側壁板とからなる箱胴部と、前記第一側壁板それぞれに連接されて折り倒されている一組の第一天面板と前記第二側壁壁それぞれに連接されていて前記第一天面板それぞれの上に重なるように折り倒されている一組の第二天面板とで閉じられている四角形の箱天面部とを有し、
前記箱胴部における第一側壁板それぞれの中段に、この第一側壁板の幅方向に沿う折り線が位置し、
前記第二天面板から前記第二側壁板を経てこの第二側壁板の両辺に位置している前記折り線の端部それぞれに達する部分に、ミシン目からなる分断手段が配されて、この分断手段の位置に沿って前記第二天面板と第二側壁板とがそれぞれ分断可能に設けられており、
前記分断手段の位置に沿った第二天面板の分断と第二側壁板の分断とにより、前記第一側壁板の折り線の位置からそれぞれが箱本体の外方に向けて開くように回動可能な対の割り体が形成されて、この対の割り体の前記外方に向けた回動により、箱本体が前記割り体を互いに逆方向に開いている箱開き状態になる構成を備えることを特徴とする包装箱を提供して、上記課題を解消するものである。
【００１２】
（請求項２の発明）
そして本発明においては、上記第一天面板それぞれには手掛け板が切り起こされていて、一方の第一天面板の手掛け板と他方の第一天面板の手掛け板とを重ね合わせて箱天面部に手掛け部が設けられており、
一方の第一天面板における前記手掛け板の切り起こしにより形成された切り欠き状の係止部が、他方の第一天面板における前記手掛け板の基端に係脱可能に係止するものとすることが可能である。
【００１３】
（請求項３の発明）
また本発明においては、第一天面板それぞれの上に折り倒されている上記第二天面板は、一方の第一天面板に開口された係止孔に差し込み係止する係止片と、他方の第一天面板に開口された係止孔に差し込み係止する係止片とを備えているものとすることが可能である。
【００１４】
（請求項４の発明）
また本発明においては、第一天面板それぞれの上に折り倒されている上記第二天面板は、上記手掛け部の基端部を挟み込む溝部を有して、第一天面板における手掛け部の基端部の近傍となる部分に重なる保持片を備えているものとすることが可能である。
【００１５】
（請求項５の発明）
また本発明においては、上記分割手段は、第二天面板における保持片の上記溝部に連続しているものとすることが可能である。
【００１６】
（請求項６の発明）
また本発明においては、上記箱本体は、対の割り体を互いに逆方向に開いている上記箱開き状態での前記割り体が箱本体の高さ方向上方に向けて回動するのを抑止する回動抑止機構を有しているものとすることが可能である。
【発明の効果】
【００１７】
（請求項１の発明の効果）
請求項１の発明によれば、第二天面板を分割手段の位置で分断するとともに、第二側壁板を分断手段の位置で分断して、対の割り体を箱本体の外方に向けて回動させて、箱本体が割り体を互いに逆方向に開いている箱開き状態にすることができるように設けられているので、上述した観戦席などに座っている人の大腿部の間にこの包装箱を置いて箱本体の箱底面部側を大腿部で挟み込むとともに、開いた割り体それぞれを大腿部の上に載せることができる。
【００１８】
そのため割り体それぞれを大腿部で下支えされた簡易なテーブルとして利用でき、箱本体の内部に入れていたスナックや容器入りの軽食などを、割り体での第一側壁板の部分を利用して載せ置くことができるようになる。
【００１９】
（請求項２の発明の効果）
請求項２の発明によれば、箱天面部に手掛け部が設けられているので、この手掛け部を用いて箱本体を手提げすることができる。また、手掛け板を起こした状態で第一天面板同士を係止させることで、前記手掛け部が簡単に得られるとともに、手掛け板同士が不用意に離れてしまうことを防ぐ。
【００２０】
（請求項３の発明の効果）
請求項３の発明によれば、第二天面板の係止片それぞれを第一天面板の係止孔に差し入れるという操作で、箱天面部を簡単に閉じた状態にすることができる。
【００２１】
（請求項４の発明の効果）
請求項４の発明によれば、手掛け部が起立した状態が安定する。またこの手掛け部の基端部の近傍となる部分を保持片の重ね合わせで補強し、手掛け部を持って包装箱を手提げしたときに、箱天面部に上方に凸となる変形を生じ難くする。
【００２２】
（請求項５の発明の効果）
請求項５の発明によれば、分断手段が、手掛け部を挟み込んでいる保持片の溝部に連続する形態となり、分断する際に手掛け部に対する保持片からの拘束を簡単に解除できる。よって、一方の割り体の第一天面板で折り起こされている手掛け板と、他方の割り体の第一天面板で折り起こされている手掛け板とを簡単に分離できるようになる。
【００２３】
（請求項６の発明の効果）
請求項６の発明によれば、回動抑止機構を利用することで、箱開き状態で箱外方に開いている割り体を、大腿部や膝を多少動かしたときに押し上げるようなこととなっても、割り体が単独で跳ね上がるような動きをすることがなくなる。
【００２４】
そのため、箱開き状態時での外方に開いた割り体の部分にスナックや食べ物を入れた容器などを置いていた場合でも、その容器が大きく移動したり倒れたりすることを防止でき、安心して軽食などを採ることができるという効果を奏する。
【図面の簡単な説明】
【００２５】
【図１】本発明に係る包装箱の第一の実施例を斜視にて示す説明図である。
【図２】第一の実施例を第二天面板を起こした状態で示す説明図である。
【図３】第一の実施例での箱開き状態を示す説明図である。
【図４】第一の実施例を展開したブランクの状態で示すもので、（ａ）は箱本体を展開した状態を示す説明図、（ｂ）は仕切り板の押さえ板を折り倒す前の状態を示す説明図である。
【図５】第二の実施例において箱開きした状態で回動抑止手段がセットされている状態を示す説明図である。
【図６】第二の実施例の展開した状態をブランクで示す説明図である。
【図７】第三の実施例において箱開きした状態で回動抑止手段がセットされている状態を示す説明図である。
【図８】第三の実施例の展開した状態をブランクで示す説明図である。
【図９】第四の実施例を斜視にて示す説明図である。
【図１０】第四の実施例を展開した状態のブランクで示すもので、（ａ）は箱本体を展開した状態を示す説明図、（ｂ）は仕切り板の押さえ板を折り倒す前の状態を示す説明図である。
【図１１】第四の実施例の箱本体を扁平スリーブの状態で示す説明図である。
【図１２】第四の実施例において箱開き状態で回動抑止手段の取付を示す説明図である。
【発明を実施するための形態】
【００２６】
（第一の実施例  図１〜図４）
つぎに本発明を図１から図１２に示す実施例に基づいて詳細に説明する。図１から図４は第一の実施例を示している。そして図中１は厚紙や段ボールなどを包材として成形された包装箱で、図１に示されているようにこの包装箱１は、箱本体２が縦長に形成され、内側を収納空間としている箱体である。
【００２７】
（箱胴部）
箱本体２は四角形の箱底面部３と四角柱状の箱胴部４と四角形の箱天面部５とを有したブロック状とされている。前記箱胴部４は箱底面部３の四辺から立ち上がるように四方に位置する側壁板であって、相対する一組の第一側壁板６、第一側壁板７と、相対するもう一組であって、前記第一側壁板６、７より板幅方向の長さを小さくした第二側壁板８、第二側壁板９とからなる。
【００２８】
（箱天面部）
また箱天面部５は、一組の第一天面板１０、第一天面板１１と、もう一組の第二天面板１２、第二天面板１３とを重ね合わせて閉じられている。第一天面板１０は第一側壁板６の上辺に連接され、第一天面板１１は第一側壁板７の上辺に連接されていて、自由端側が重なるようにして第一天面板１０と第一天面板１１とが折り倒されている。
【００２９】
もう一組の第二天面板１２、第二天面板１３の内、第二天面板１２は第二側壁板８の上辺に連接され、第二天面板１３は第二側壁板９の上辺に連接されていて、第一天面板６、７の端部の上に重なるようにして折り倒されている。
【００３０】
（手掛け部）
図１に示されているように箱天面部５の中央部分には箱本体高さ方向での上方に向けて立ち上がる手掛け部１４が設けられている。この手掛け部１４は二つの手掛け板１５、１６が重ね合わされて形成されている。
【００３１】
ブランクとして展開状態を表している図４に示されているように一方の第一天面板１０の自由端から第一側壁板６側に寄るように基端１７の部分が入り込むようにして一方の手掛け板１５がアーチ状に切り込み形成され、前記基端１７から折り起こされている。同様に他方の第一天面板１１の自由端から第一側壁板７側に寄るように基端１８の部分が入り込むようにして他方の手掛け板１６がアーチ状に切り込み形成され、前記基端１８から折り起こされている。そして第一天面板１０、１１を折り倒すことで手掛け板１５と手掛け板１６とが重ね合わされ、手掛け部１４が形成されている。
【００３２】
第一天面板１０、１１には、手掛け板１５、１６を切り起こすことによって、第一天面板１０、１１それぞれの手掛け板１５、１６の基端１７、１８に対応する位置にして切り欠き状の係止部１９、２０が形成されるように設けられている。そして折り起こされている手掛け板１５、１６を合掌状に合わせるとき、例えば他方の第一天面板１１に設けられている対の係止部２０が、一方の第一天面板１０で折り起こされている手掛け板１５の基端１７に係脱可能に係止する。また逆に、対の係止部１９を、手掛け板１６の基端１８に係脱可能に係止させるようにしてもよい。
【００３３】
（第一天面板同士の連結）
このように二つの手掛け板の内の一つの手掛け板を折り起こしして形成されている基端側の対の係止部を、もう一つの折り起こした手掛け板の基端に係脱可能に係止させることで、第一天面板１０と第一天面板１１とが連結されている。
【００３４】
（第一天面板と第二天面板との係止）
さらに上記第一天面板１０、１１それぞれには、この第一天面板１０と第一天面板１１との連結に際して重ならない領域であって、第一天面板１０、１１の両端部側での第一側壁板６、７の上辺に沿う位置にして係止孔２１、２２が開口されている。
【００３５】
上記第二天面板１２、１３それぞれは、上記第一天面板１０、１１それぞれの両端部側の上に折り倒されて重ねられる面板とされている。そして第二天面板１２にあっては、この第二天面板１２が折り倒されて重なる部分での第一天面板１０、１１の上記係止孔２１、２２に差し込み係止する舌片状の係止片２３を備えているとともに、第二天面板１３も同様にして、第二天面板１２が折り倒されて重なる部分での第一天面板１０、１１の上記係止孔２１、２２に差し込み係止する舌片状の係止片２４を備えている。
【００３６】
第二天面板１２はこれを折り倒して第一天面板１０の係止孔２１と第一天面板１１の係止孔２２に係止片２３を差し込み係止させ、第二天面板１３は折り倒して第一天面板１０の係止孔２１と第一天面板１１の係止孔２２に係止片２４を差し込み係止させることで、第二天面板１２、１３が第一天面板１０、１１に連結されている。
【００３７】
（第二天面板の保持片）
加えて、上記第二天面板１２、１３は、手掛け部１４の基端部２５（手掛け板１５、１６の基端部分が重なっている部分）を挟み込む溝部２６を有している保持片２７を備えている。この保持片２７は前述のように手掛け部１４を基端部２５を溝部２６で挟み込みながら、第一天面板１０、１１における前記基端部２５の近傍となる部分に重なっており、手掛け部１４を持って包装箱１を手提げしたときに箱天面部５が、その基端部２５の部分から上方に凸となるような盛り上がり変形をしないように補強している。
【００３８】
（箱天面部）
本実施例の包装箱１は扁平なスリーブを組み起こすことで、箱天面部５が開いた状態で有底の箱本体２が組み上がるようにしたタイプの箱体である。即ち、箱底面部３にあっては公知の底ロック式のワンタッチ底にしていて、この箱本体２を扁平状態からブロック状に起こすことで箱底面が自動形成されるようにしており、第一側壁板６と第一側壁板７と第二側壁板８と第二側壁板９とのそれぞれにワンタッチ底にするための箱底面形成板２８を連接して箱底面部３が形成されている。
【００３９】
なお、箱底面部３は上述した底ロック式のワンタッチ底に限定されるものではなく、公知である各種の底構成を採用してもよい。
【００４０】
（分割手段）
本実施例での包装箱１は、上述したように箱本体２の上部である箱天面部５が閉じられた状態から、包装箱に収納されている品を取り出すために、箱本体２の下段側を残した状態としながら、この包装箱の利用者が、箱本体２の上段側を二つに割って開くことができるようにした工夫を備えているものである。
【００４１】
ブロック状とされている箱本体２の上部側を必要に応じて対の割り体に分かれるようにするために、まず、第一側壁板６、７それぞれの中段に、この第一側壁板６、７の幅方向に沿う折り線２９が位置している。図４参照
【００４２】
そして直接的に分断される部分として第二天面板１２、１３から第二側壁板８、９に亘って、この包装箱１の包材にミシン目を穿設してなる分断手段３０が設けられている。この分断手段３０それぞれは図４に示されているように第二天面板１２、１３での板幅方向での縦中央となる部分に配されて、上記溝部２６に連続しているとともに、第二天面板１２、１３の縦中央となる部分から第二側壁板８、９の板幅方向での縦中央となる部分でのこの第二側壁板８、９の中段よりやや高い位置（折り線２９の箱本体高さ方向での高さ位置より上位の位置）までに及んでいる。
【００４３】
分断手段３０は、上記第二側壁板８、９の中段よりやや高い位置から第二側壁板８、９の板幅方向に二股状に分岐している。そして分岐した分断手段３０それぞれが、この第二側壁板８、９の両辺に位置している折り線２９の端部それぞれに達していて、分断手段３０と第一側壁板６の中段にある折り線２９とが連続し、また分断手段３０と第一側壁板７の中段にある折り線２９とが連続している。
【００４４】
さらにこの分断手段３０それぞれにあっては図４に示すように第二天面板１２、１３の基端側から上記二股状の分岐箇所より上位の高さ位置までの範囲にして二条のミシン目を穿設して幅広として分断補助部３１が設けられている。分断補助部３１はミシン目にて囲まれた領域である。
【００４５】
このように分断手段３０が第二天面板１２、１３から第二側壁板８、９を経て第一側壁板６、７での折り線２９の端部に達している。そのため、包装箱１を開封して収納物を取り出す場合、まず、前記分断手段３０での分断補助部３１を、ミシン目を切断しながら切り取るようにする。なお、図１において切り取られた分断補助部３１を仮想線で示している。
【００４６】
分断補助部３１を切り取ったのちには、分断手段３０に指先を入れることができる引き分け用の開口が形成され、その開口に指先を入れて第二側壁板８、９を板幅方向に引き分けるように分断手段３０のミシン目に裂け目を生じさせて、この分断手段３０の位置で包材の切断を行なうようにすればよい。
【００４７】
分断手段３０の位置での切断が行われれば、上記第二天面板１２、１３が分断され、また第二側壁板８、９も上段の部分がこの第二側壁板８、９の板幅方向に分断される。
【００４８】
分断手段３０の位置に沿った第二天面板１２、１３の上記分断と第二側壁板８、９の上記分断とが行われれば、第一側壁板６、７の折り線２９の位置からそれぞれが箱本体の外方に向けて開くように回動可能な対の割り体３２が形成される。
【００４９】
対の割り体３２を形成する分断手段３０において、この実施例では分断補助部３１を設け、分断に際して予めこの分断補助部３１を取り外すようにしたものとしたが、必ずしも必要とされるものではない。また分断手段３０全体を二条のミシン目からなるものとすることも可能である。
【００５０】
一方の割り体３２は、第一側壁面６の折り線２９から上方の領域と、この領域での側辺に連接する第二側壁板８、９の分断片部分と、この分断片部分に連続している第二天面板１２、１３の分断片部分と、第一側壁板６の上辺に連接する上記第一天面板１０とからなる。同様に他方の割り体３２も、第一側壁面７の折り線２９から上方の領域と、この領域での側辺に連接する第二側壁板８、９の分断片部分と、この分断片部分に連続している第二天面板１２、１３の分断片部分と、第一側壁板７の上辺に連接する上記第一天面板１１とからなる。
【００５１】
そして一方の割り体３２では、第二天面板１２、１３の分断片部分に残っている係止片２３、２４が第一天面板１０の係止孔２１に係止していることから、第二天面板１２、１３の分断片部分と第一天面板１０とが連結した状態で保たれている。また他方の割り体３２でも、第二天面板１２、１３の分断片部分の係止片２３、２４が第一天面板１１の係止孔２２に係止していて、第二天面板１２、１３の分断片部分と第一天面板１１とが連結した状態で保たれている。そのため、割り体３２それぞれは折り線２９側を除く三方に立て板を有するトレイ状の形態となる。
【００５２】
対の割り体３２それぞれは、折り線２９の位置から箱本体２の外方に向けて開くように回動可能となり、割り体３２を前記外方に向けて回動させることで、箱本体２が、割り体３２を互いに逆方向に開いている箱開き状態にすることができる。そのため、使用者が箱本体２での下段側を大腿部で挟み込みして割り体３２をその大腿部の上にほぼ水平に乗せるようにすることで、割り体３２における第一側壁板６、７の部分を、この包装箱１に収納していた物品の乗せ置き場所として利用することができるようになる。
【００５３】
（回動抑止手段）
包装箱１では上記分断手段３０で分断して得られた対の割り体３２をそれぞれ外方に回動させて箱開き状態とすれば、折り線２９の位置で折り癖が付いて割り体３２の上方への動きは生じ難くなるが、割り体３２それぞれの上方への動きを抑えるために、本実施例では回動抑止手段３３を利用することが可能となるようにしている。
【００５４】
本実施例での回動抑止手段３３は、第一側壁板６、７の下段部分に設けられた長孔３４に係止させることのできる仕切り板３５の上辺の両端それぞれに折り倒しして割り体３２の第一側壁板６、７に重ね置きできる押さえ板３６を設けたものである。この実施例では、箱開き状態とした箱本体２の中央に一方の割り体３２から他方の割り体３２に亘るようにして仕切り板３５を取り付けて長孔３４に係止させるとともに、押さえ板３６を割り体３２の第一側壁板６、７に重ね置きすることで回動抑止手段３３が形成されるものであり、前記押さえ板３６によって割り体３２の上方への動きを防止することとなり、箱開きの状態がより安定するものとなる。
【００５５】
（第二の実施例  図５、図６）
第一の実施例の包装箱１では、箱本体２が上記回動抑止手段３３を別部材として備えているものとして説明したが、本発明はこの実施例に限定されるものではなく、箱本体２を組み上げるためのブランクの一部として上記仕切り板３５を連結板を介して連接し、この仕切り板３５を取り付けることで、回動抑止手段３３が形成されるようにすることが可能である。その例を以下の第二の実施例として図５、図６にて示す。
【００５６】
即ち、この第二の実施例にあっては、第一側壁板７の第二側壁板９とは反対側に連結板３７を介して仕切り板３５が連接されており、上記分断を行なう前の時点では前記連結板３７と共に仕切り板３５が箱本体２の第二側壁板８と第一側壁板６との内面に沿って配置される。
【００５７】
そして上記分断と割り体３２の外方への回動をして箱本体２を箱開き状態としたのち、上記仕切り板３５を第一側壁板６から第一側壁板７への間に亘るように配置し、第一側壁板７に開口の長孔３４に係止させる。第二の実施例での仕切り板３５にあっては上辺隅部には該仕切り板３５の幅方向外方に起立板状に張り出る押さえ板３６を備えており、この起立板状の押さえ板３６が、割り体３２での第一側壁板６、７とに重ね置かれることで回動抑止手段３３が形成されるようにしている。なお、この第二の実施例における箱底面形成板２８は地獄底を形成している。
【００５８】
（第三の実施例  図７、図８）
さらに回動抑止手段３３の変形を第三の実施例として図７と図８とに示した。この第三の実施例でも上記第二の実施例と同様に、連結板３７を介して仕切り板３５が連接されており、上記分断を行なう前の時点では前記連結板３７と共に仕切り板３５が箱本体２の第二側壁板８と第一側壁板６との内面に沿って配置される。
【００５９】
本第三の実施例では、分断と割り体３２の外方への回動をして箱本体２を箱開き状態としたのち、上記仕切り板３５を第一側壁板６から第一側壁板７への間に亘るように配置し、第一側壁板７に開口の長孔３４に係止させるものであるが、第一側壁板６から第一側壁板７への間に亘って配置される仕切り板３５の上辺の位置に、第一側壁板６、７からの張り出し片３８が張り出るように切り込み形成されている。
【００６０】
そして分断と割り体３２の外方への回動をして箱本体２を箱開き状態とした時点で、上記張り出し片３８それぞれが互いに凸方向を対向させるように箱本体の中心側に向けて張り出るようにしている。この後に、仕切り板３５を第一側壁板６から第一側壁板７への間に亘るように配置し、第一側壁板７に開口の長孔３４に係止させると、この仕切り板３５の上辺隅部それぞれに前記張り出し片３８が載ることとなり、これによって回動抑止手段３３が形成され、張り出し３７を仕切り板３５が下支えすることで、割り体３２それぞれの上方への回動が生じないようにしているものである。なお、第三の実施例における箱底面形成板２８は地獄底を形成している。
【００６１】
（第四の実施例  図９〜図１２）
第一、第二、第三の実施例において、この各実施例が備える上記分断手段３０それぞれは、第二天面板１２、１３での基端側の折り部の近傍から第二側壁板８、９での分断手段３０が上記折り線に向けて二股に分かれている箇所の上位までを二条のミシン目としているが、本発明での分断手段３０は上記実施例に示されているものに限定されるものではなく、例えば以下に示す実施例のようにすることも可能である。
【００６２】
図９から図１２は主に分断手段３０の構成を変更している第四の実施例を示している。まず、この実施例の包装箱１にあっては、第一天面板１０から折り起こされている手掛け板１５の基端１７の近傍、また第一天面板１１から折り起こされている手掛け板１６の基端１８の近傍には上記実施例での係止部は設けられていない。そして折り倒された第一天面板１０と第一天面板１１との内、第一天面板１０の自由端であって手掛け板１５の基端間に位置する部分が舌片状に張り出されており、その張り出し部分が手掛け板１６の通孔部分を通して第一天面板１１の上に重ね合わされている。
【００６３】
（分断手段）
この実施例の分断手段３０では、一条のミシン目が、第二天面板１２、１３での上記溝部２６に連続しているとともに、第二天面板１２、１３の縦中央となる部分を通り、さらに第二側壁板８、９の縦中央となる部分を通りこの第二側壁板８、９の中段よりやや高い位置での二股状の分岐部分までに達している。
【００６４】
そして上記実施例と同じように二股状に分岐した分断手段３０のミシン目が、第二側壁板８、９の両辺に位置している折り線２９の端部それぞれに達していて、分断手段３０と第一側壁板６の中段にある折り線２９とが連続し、また分断手段３０と第一側壁板７の中段にある折り線２９とが連続している。図１０参照
【００６５】
第四の実施例では、分断手段３０のミシン目が二股状の分岐部分に連続するように位置して上方に向けて凸となる山形状部分を分断補助部３１としており、この分断補助部３１を箱内方に押し込むことで指先を入れる透孔を形成し、その透孔に差し入れた指で分断手段３０のミシン目を切断することで、上記実施例と同じく箱本体２の上部側が分断手段３０の位置で分かれる対の割り体３２が得られ、この割り体３２を外方に向けて回動させることで、箱開き状態とすることができる（図１２）。
【００６６】
なお、第四の実施例における回動抑止手段３３は、上記第一の実施例と同様に別部材の仕切り板３５の両辺の凸部分を第一側壁板６、７の長孔３４に係止させて仕切り板３５を第一側壁板６、７の間に掛け渡すとともに、押さえ板３６それぞれを割り体３２それぞれでの第一側壁板６、７の折り線２９側の部分の上に重ねるようにすることによって構成されるものとしている。
【００６７】
第四の実施例は手掛け板１５、１６の基端１７、１８周りと分断手段３０とが第一、第二、第三の実施例と相違し、他の部分については同じ構成を備えているものであって、扁平なスリーブの状態から箱底面部３が閉じた状態で組み起こし（図１１）、収納物を入れた後に第一天面板１０、１１を折り倒し、さらに第二天面板１２、１３を折り倒して第一天面板１０、１１に係止して閉じた箱天面部５を形成することで、手掛け部１４を有するブロック状の包装箱１が得られるものである（図９）。
【００６８】
なお、何れの実施例においても、分断手段３０のミシン目自体の構成は特に限定されるものではない。例えばタイとカットとの比は必要に応じて選択され、部分的に長いスリットを設けるようにすることも可能である。
【００６９】
また、各実施例では、包装箱の包材として厚紙や段ボールを採用したものを例示しているが、軽量で強度がある包材であればよく、包材が限定されるものではない。厚紙、段ボール以外としては、アート紙、コート紙、ポリオレフィン樹脂板、ポリエステル樹脂板などを用いることができる。
【００７０】
さらに、包装箱の大きさは限定されるものではないが、弁当箱とカップが入る大きさが良好である。そして縦長とすると、箱開き状態時に割り体二つでの物品を載せる部分が広く確保できるようになる。大きさとして例えば箱底面１０ｃｍ×１５ｃｍ、箱本体の高さ２０ｃｍとすることができる。また下部固定箱部の部分の高さとしては、脚の大腿部で固定できる高さであればよく、１０ｃｍ程度が良好である。
【符号の説明】
【００７１】
１…包装箱
２…箱本体
３…箱底面部
４…箱胴部
５…箱天面部
６、７…第一側壁板
８、９…第二側壁板
１０、１１…第一天面板
１２、１３…第二天面板
１４…手掛け部
２１、２２…係止孔
２３、２４…係止片
２７…保持片
２９…折り線
３０…分断手段
３１…分断補助部
３２…割り体
３３…回動抑止手段
【図１】
2018193095.tif 000003
【図２】
2018193095.tif 000004
【図３】
2018193095.tif 000005
【図４】
2018193095.tif 000006
【図５】
2018193095.tif 000007
【図６】
2018193095.tif 000008
【図７】
2018193095.tif 000009
【図８】
2018193095.tif 000010
【図９】
2018193095.tif 000011
【図１０】
2018193095.tif 000012
【図１１】
2018193095.tif 000013
【図１２】
2018193095.tif 000014